(57)【特許請求の範囲】
【請求項１】
内容器と外容器からなる断熱構造を有する本体部と、本体部の上部開口を閉じる口栓部材と、口栓部材の上に装着される蓋部材とを備えた保温飲料容器であって、
前記口栓部材の底部に形成された開口を開閉する開閉弁機構を備え、該開閉弁機構は、前記口栓部材に固定された固定部と該固定部に対して所定範囲内で変位可能な可動部と、前記口栓部材の底部に形成された開口を開ける方向に前記可動部を付勢する付勢手段とを備え、前記開閉弁機構の固定部は前記口栓部材に固定された外筒部と内筒部とが連結部で連結された構造を有し、
前記蓋部材は、前記口栓部材に装着された状態において、前記口栓部材の底部に形成された開口を閉じる方向に前記開閉弁機構の可動部を操作し、
前記蓋部材を前記口栓部材から取り外したときに、前記付勢手段の働きにより前記口栓部材の底部に形成された開口を開ける方向に前記開閉弁機構の可動部が変位することによって、前記内容器の内容液が前記開閉弁機構の固定部の外筒部と内筒部との間を通って前記開口から外部へ流れ出る経路が形成されるように構成されていることを特徴とする保温飲料容器。
【請求項２】
内容器と外容器からなる断熱構造を有する本体部と、本体部の上部開口を閉じる口栓部材と、口栓部材の上に装着される蓋部材とを備えた保温飲料容器であって、
前記蓋部材は前記口栓部材に対して独立に着脱可能な外側蓋部材と内側蓋部材からなり、
前記口栓部材の底部の略中央部に形成された第１の開口を開閉する開閉弁機構を備え、該開閉弁機構は、前記口栓部材に固定された固定部と該固定部に対して所定範囲内で変位可能な可動部と、該可動部を前記口栓部材の底部に形成された開口を開ける方向に付勢する付勢手段とを備え、
前記内側蓋部材は、前記口栓部材に装着された状態において、前記口栓部材の底部に形成された開口を閉じる方向に前記開閉弁機構の可動部を操作し、前記内側蓋部材を前記口栓部材から取り外したときに、前記付勢手段の働きにより前記口栓部材の底部に形成された開口を開ける方向に前記開閉弁機構の可動部が変位するように構成され、
前記外側蓋部材は、前記口栓部材の底部において第１の開口より外周側に形成された第２の開口を封止する封止部材を備え、前記外側蓋部材を前記口栓部材から取り外したときに、前記第２の開口が開くように構成されていることを特徴とする保温飲料容器。
【請求項３】
内容器と外容器からなる断熱構造を有する本体部と、本体部の上部開口を閉じる口栓部材と、口栓部材の上に装着される蓋部材とを備えた保温飲料容器であって、
前記口栓部材の底部に周方向に離間するように第１及び第２の開口が形成され、
前記蓋部材は、前記口栓部材に装着された状態において前記第１及び第２の開口を同時に封止する封止部材を備え、前記外側蓋部材を前記口栓部材から取り外したときに、前記第１及び第２の開口が同時に開くように構成され、
前記口栓部材の底部の前記第１の開口が形成された部分から本体部側に所定の空間を形成する茶漉し部が取り付けられ、前記外側蓋部材が前記口栓部材から取り外された状態で、前記口栓部材の前記第１の開口が形成された部分から注入された飲料が前記第１の開口から前記茶漉し部の空間を通って前記本体部に溜まり、かつ、前記本体部に溜められた飲料が前記茶漉し部の空間を通らないで、前記第２の開口を通って外部に注ぎ出されるように構成されていることを特徴とする保温飲料容器。
【発明の詳細な説明】
【０００１】
【発明の属する技術分野】
本発明は、保温機能を有する携帯用の保温飲料容器に関し、特に、口栓部材及び蓋部材の構造に関する。
【０００２】
【従来の技術】
この種の保温飲料容器の従来例を図８に示す。この保温飲料容器は、本体部１０１、口栓部材１０２及び蓋部材１０３からなる。本体部１０１は、ステンレススチール製の断熱構造を有する真空二重容器である。ステンレススチール製の内容器１０４と外容器１０５とが上端の開口部１０６で互いに封止され、両者間の密閉空間１０７を真空状態にすることにより、真空断熱層が形成される。外容器１０５の底面に形成された排気孔１０８から密閉空間１０７内の空気を抜いた後に封止部材１０９で排気孔１０８を封止し、さらにゲッタ１１０を燃焼させることによって密閉空間１０７の真空度が高められる。
【０００３】
内容器１０４の開口部の内壁には、口栓部材１０２に形成された雄螺子１０２ａが螺合する雌螺子１０４ａと、口栓部材１０２に取り付けられた止水パッキン１０２ｂと密着する突出部１０４ｂが形成されている。
【０００４】
口栓部材１０２は、内容器１０４の開口部内側に嵌る内筒部１０２Ａと外容器１０５の開口部外側に被さる外筒部１０２Ｂが一体に接合されてなる。内筒部１０２Ａの外側には、上記の雄螺子１０２ａが形成されていると共に、オーリング状の止水パッキン１０２ｂが嵌め込まれている。
【０００５】
口栓部材１０２は、外筒部１０２Ｂを把持して回転させることにより、内容器１０４（本体部１０１）に対して着脱自在である。口栓部材１０２の雄螺子１０２ａと内容器１０４の雌螺子１０４ａとの螺合によって、口栓部材１０２が内容器１０４にしっかり装着された状態では、止水パッキン１０２ｂが内容器１０４の突出部１０４ｂに密着し、内容器１０４の内容液（飲料）が外に漏れないようになっている。また、口栓部材１０２の内筒部１０２Ａの底部中央には、高温の飲料が冷めたときに発生する内容器１０４内の負圧（陰圧）を解消するための圧力調整弁１０２ｃが設けられている。
【０００６】
蓋部材１０３は、口栓部材１０２の内筒部１０２Ａの内側に嵌り込む筒部１０３ａを有する。この筒部１０３ａの外側には、口栓部材１０２の内筒部１０２Ａの内側に形成されたラチェット（簡易螺子溝）１０２ｄに係合するラチェット１０３ｄが形成されている。これらのラチェット１０２ｄ及び１０３ｄの係合と解除によって、蓋部材１０３は口栓部材１０２に対して着脱自在である。蓋部材１０３は、口栓部材１０２から取り外した状態で、筒部１０３ａの内側に飲料を溜めることができ、湯飲み（カップ）として使用できる。もちろん、蓋部材１０３及び口栓部材１０２を本体部１０１から取り外した状態で、開口部１０６に口を当てて飲料を本体部１０１から直接飲むこともできる。
【０００７】
上記のような基本的な構造の保温飲料容器の他に、茶漉し網を付加した構造の保温飲料容器が提案されている（特開平１１−２５３３１２参照）。この保温飲料容器では、口栓部材の内筒部の底部に開口部が設けられ、その開口部から下方に突出するように茶漉し網が設けられている。例えば、茶漉し網に茶葉を入れ、上から湯を注ぐことによって煎じられた茶が内容器に溜まるようになっている。
【０００８】
【発明が解決しようとする課題】
図８に示した従来の保温飲料容器では、口栓部材１０２と本体部１０１（内容器１０４）との螺合密封構造によって、内容液である飲料が外に漏れることが無く、保温性能が高い。その反面、本体部１０１に飲料を入れる際、及び本体部１０１から飲料を取り出す（飲む）際は、口栓部材１０２を本体部１０１に対して複数回回転させて取り外さなければならず、少々面倒である。口栓部材１０２と本体部１０１との着脱構造として、螺合に代えて、蓋部材１０３と口栓部材１０２との着脱構造のようなラチェット（簡易螺合、ヘリコイドともいう）とすることにより、少し回すだけで着脱できるようにすることが考えられる。しかし、この場合は、簡単に口栓部材１０２が本体部１０１から外れて内容液がこぼれ出るおそれがある。
【０００９】
また、茶漉し網を付加した従来例の場合、口栓部材は、実質的に茶漉し網を支持するためのものであり、内容液が外へ漏れ出すのを防ぐ栓の働きは有しない。
したがって、保温飲料容器が倒れたり逆さになったりすると、内容液（飲料）が蓋部材のすぐ内側まで出てしまい、蓋部材が緩むと外へ漏れ出すおそれがある。
また、茶漉し網に茶葉を入れたままで携行した場合、茶葉が茶漉し網から蓋部材のすぐ内側まで出て蓋部材の内側を汚すことになる。
【００１０】
本発明は、上記のような従来の課題に鑑みてなされたものであり、口栓部材の構造を工夫することにより、飲料の注入や取り出しが容易な保温飲料容器を提供することを目的とする。また、茶漉し網を付加した新規な構造の保温飲料容器を提供することも本発明の目的である。
【００１１】
【課題を解決するための手段】
本発明による保温飲料容器の第１の構成は、内容器と外容器からなる断熱構造を有する本体部と、本体部の上部開口を閉じる口栓部材と、口栓部材の上に装着される蓋部材とを備えた保温飲料容器において、前記口栓部材の底部に形成された開口を開閉する開閉弁機構を備え、該開閉弁機構は、前記口栓部材に固定された固定部と該固定部に対して所定範囲内で変位可能な可動部と、前記口栓部材の底部に形成された開口を開ける方向に前記可動部を付勢する付勢手段とを備え、前記開閉弁機構の固定部は前記口栓部材に固定された外筒部と内筒部とが連結部で連結された構造を有し、前記蓋部材は、前記口栓部材に装着された状態において、前記口栓部材の底部に形成された開口を閉じる方向に前記開閉弁機構の可動部を操作し、前記蓋部材を前記口栓部材から取り外したときに、前記付勢手段の働きにより前記口栓部材の底部に形成された開口を開ける方向に前記開閉弁機構の可動部が変位することによって、前記内容器の内容液が前記開閉弁機構の固定部の外筒部と内筒部との間を通って前記開口から外部へ流れ出る経路が形成されるように構成されていることを特徴とする。
【００１２】
このような構成によれば、口栓部材を本体部から外さなくても、蓋部材を口栓部材から外せば口栓部材の開口が開き、飲料を本体部に注入したり、本体部から飲料を注ぎ出したりすることが可能となる。また、開閉弁機構の固定部が、内筒部と外筒部とが連結部で連結された構造を有するので、内筒部の中に圧縮コイルバネのような付勢手段を収容し、内筒部と外筒部との間の空間を容器の内容液が外部へ流れ出る経路として使用する合理的な構造を実現することができる。
【００１５】
本発明による保温飲料容器の第２の構成は、内容器と外容器からなる断熱構造を有する本体部と、本体部の上部開口を閉じる口栓部材と、口栓部材の上に装着される蓋部材とを備えた保温飲料容器において、前記蓋部材は前記口栓部材に対して独立に着脱可能な外側蓋部材と内側蓋部材からなり、前記口栓部材の底部の略中央部に形成された第１の開口を開閉する開閉弁機構を備え、該開閉弁機構は、前記口栓部材に固定された固定部と該固定部に対して所定範囲内で変位可能な可動部と、前記口栓部材の底部に形成された開口を開ける方向に前記可動部を付勢する付勢手段とを備え、前記内側蓋部材は、前記口栓部材に装着された状態において、前記口栓部材の底部に形成された開口を閉じる方向に前記開閉弁機構の可動部を操作し、前記内側蓋部材を前記口栓部材から取り外したときに、前記付勢手段の働きにより前記口栓部材の底部に形成された開口を開ける方向に前記開閉弁機構の可動部が変位するように構成され、前記外側蓋部材は、前記口栓部材の底部において第１の開口より外周側に形成された第２の開口を封止する封止部材を備え、前記外側蓋部材を前記口栓部材から取り外したときに、前記第２の開口が開くように構成されていることを特徴とする。
【００１６】
このような構成によれば、口栓部材を本体部から外さなくても、内側蓋部材を口栓部材から外せば口栓部材の第１の開口が開き、飲料を本体部に注入することが可能となる。また、外側蓋部材を口栓部材から外せば口栓部材の第１の開口より外周側に形成された第２の開口が開き、本体部内の飲料を外部に円滑に注ぎだすことが可能となる。
【００２０】
本発明による保温飲料容器の第３の構成は、内容器と外容器からなる断熱構造を有する本体部と、本体部の上部開口を閉じる口栓部材と、口栓部材の上に装着される蓋部材とを備えた保温飲料容器において、前記口栓部材の底部に周方向に離間するように第１及び第２の開口が形成され、前記蓋部材は、前記口栓部材に装着された状態において前記第１及び第２の開口を同時に封止する封止部材を備え、前記外側蓋部材を前記口栓部材から取り外したときに、前記第１及び第２の開口が同時に開くように構成され、前記口栓部材の底部の前記第１の開口が形成された部分から本体部側に所定の空間を形成する茶漉し部が取り付けられ、前記外側蓋部材が前記口栓部材から取り外された状態で、前記口栓部材の前記第１の開口が形成された部分から注入された飲料が前記第１の開口から前記茶漉し部の空間を通って前記本体部に溜まり、かつ、前記本体部に溜められた飲料が前記茶漉し部の空間を通らないで、前記第２の開口を通って外部に注ぎ出されるように構成されていることを特徴とする。
【００２１】
この構成によれば、茶漉し部の空間に茶葉を入れておくだけで、茶漉し網や急須のような他の器具が無くても、第１の開口からお湯を注入すれば簡単に茶を煎じて本体部に溜めることができると共に、本体部の茶を外部に注ぎだすときは、茶漉し部の茶葉が入れられた空間を通らずに、第２の開口から直接外部へ注ぎ出すことができる。しかも、蓋部材を口栓部材に装着すれば第１及び第２の開口が同時に閉じられるので保温飲料容器が上下逆になっても本体部に溜められた茶や茶漉し部の茶葉が口栓部材の外に漏れることはない。
【００２２】
【発明の実施の形態】
以下、図面を参照しながら本発明の実施形態を説明する。
【００２３】
図１及び図２は、本発明の第１の実施形態に係る保温飲料容器の構造を示す断面図である。図１は蓋部材を口栓部材に装着した状態を示し、図２は蓋部材を口栓部材から取り外した状態を示している。
【００２４】
この保温飲料容器は、本体部１１、口栓部材１２及び蓋部材１３からなる。本体部１１は、ステンレススチール製の断熱構造を有する真空二重容器である。ステンレススチール製の内容器１４と外容器１５とが上端の開部１６で互いに封止され、両者間の密閉空間１７を真空状態にすることにより、真空断熱層が形成される。外容器１５の底面に形成された排気孔１８から密閉空間１７内の空気を抜いた後に封止部材１９で排気孔１８を封止し、さらにゲッタ２０を燃焼させることによって密閉空間１７の真空度が高められる。
【００２５】
内容器１４の開口部の内壁には、口栓部材１２に形成された雄螺子１２ａが螺合する雌螺子１４ａと、口栓部材１２に取り付けられた第１止水パッキン１２ｂと密着する突出部１４ｂが形成されている。
【００２６】
口栓部材１２は、内容器１４の開口部内側に嵌る内筒部１２Ａと外容器１５の開口部外側に被さる外筒部１２Ｂが一体に接合されてなる。内筒部１２Ａの外側には、上記の雄螺子１２ａが形成されていると共に、オーリング状の止水パッキン１２ｂが嵌め込まれている。
【００２７】
口栓部材１２は、外筒部１２Ｂを把持して回転させることにより、内容器１４（本体部１１）に対して着脱自在である。口栓部材１２の雄螺子１２ａと内容器１４の雌螺子１４ａとの螺合によって、口栓部材１２が内容器１４にしっかり装着された状態では、止水パッキン１２ｂが内容器１４の突出部１４ｂに密着し、内容器１４の内容液（飲料）が内容器１４と口栓部材１２との間から外に漏れないようになっている。
【００２８】
口栓部材１２の内筒部１２Ａの底部１２ｃの中央には開口が形成され、この開口を開閉する開閉弁機構２１が設けられている。開閉弁機構２１は、内筒部１２Ａに接合された固定部２２と、固定部２２に対して所定範囲内で上下動可能な可動部２３からなる。固定部２２は、口栓部材１２の内筒部１２Ａの底部１２ｃから下方に延びる筒部１２ｅの内側に接合された外筒部２２ａと、その外筒部２２ａの内側に同軸配置された内筒部２２ｂとが複数の放射状に延びる連結部２２ｃとで連結された構造を有する。したがって、外筒部２２ａと内筒部２２ｂとの間には断面円環状の空間を複数の連結部２２ｃで仕切った複数の空間（飲料の通路）が形成されている。
【００２９】
内筒部２２ｂの下端には、キャップ２２ｄが接合され、内筒部２２ｂの上端部は絞られて小径部２２ｅとなっている。小径部２２ｅには可動部２３の摺動部２３ａが摺動自在に内嵌している。摺動部２３ａの上には拡径部２３ｂがつながり、拡径部２３ｂの外周には第２止水パッキン２４が被せられている。
【００３０】
蓋部材１３は、口栓部材１２の内筒部１２Ａの内側に嵌り込む外筒部１３ａを有する。この外筒部１３ａの外側には、口栓部材１２の内筒部１２Ａの内側に形成されたラチェット（簡易螺子溝）１２ｄに係合するラチェット１３ｄが形成されている。これらのラチェット１２ｄ及び１３ｄの係合と解除によって、蓋部材１３は口栓部材１２に対して少し回転させることにより着脱自在である。
【００３１】
また、蓋部材１３の外筒部１３ａの内側には、外筒部１３ａと同軸状に下方に延びる内筒部１３ｂが形成され、内筒部１３ｂの下端が開閉弁機構２１を構成する可動部２３の拡径部２３ｂの上端に当接するように構成されている。これにより、図１に示すようにラチェット１２ｄ及び１３ｄの係合によって蓋部材１３を口栓部材１２にしっかり装着した状態では、蓋部材１３の内筒部１３ｂの下端が開閉弁機構２１の可動部２３を押し下げる。その結果、可動部２３の拡径部２３ｂの外周に被せられた第２止水パッキン２４の下部が口栓部材１２の内筒部１２Ａの底部１２ｃの上面に密着し、底部１２ｃの中央部開口が開閉弁機構２１（可動部２３）によって封止される。
【００３２】
開閉弁機構２１の固定部２２の内筒部２２ｂとキャップ２２ｄで囲まれた空間には圧縮ばね２５が収容されている。圧縮ばね２５は、可動部２３の下端に取り付けられた鍔部材２６とキャップ２２ｄとの間に圧縮状態で収容されており、可動部２３を上方に（開閉弁機構２１を開ける方向に）付勢している。
【００３３】
したがって、図２に示すように蓋部材１３を口栓部材１２から取り外すと、圧縮ばね２５の復元力（付勢力）によって可動部２３が上方に移動し、第２止水パッキン２４と内筒部１２Ａの底部１２ｃの上面との間に隙間（飲料の通路）ができる。これにより、図２に矢印線ＯＵＴで示すように、内容器１４の内容液（飲料）が外部へ流れ出る経路が形成されるので、口栓部材１２を本体部１１（内容器１４）から取り外さなくても、内容器１４の内容液（飲料）を飲むことができる。あるいは、逆方向の矢印線ＩＮで示すように、飲料を外から内容器１４へ注入することができる。なお、可動部２３の摺動部２３ａから拡径部２３ｂにつながるテーパー部２３ｃの断面が水平ではなく傾斜して形成されているので、内容器１４の内容液（飲料）が矢印線ＯＵＴで示す経路に沿って円滑に外部へ導き出される。
【００３４】
図１及び図２に示すように、口栓部材１２の底部１２ｃから下方に延びる筒部１２ｅの外側にも第２の筒部（外側筒部）１２ｆが形成されており、その外側に嵌合（又は螺合）するように茶漉し部２７が取り付けられている。茶漉し部２７は、下部に複数の小孔２７ａが形成されており、必要に応じて小孔２７ａを覆うように茶漉し網が底部内側に張られている。
【００３５】
茶漉し部２７に適量のハーブ茶のような茶葉を収容し、茶漉し部２７を口栓部材１２の外側筒部１２ｆに嵌合させた後、口栓部材１２を本体部１１（内容器１４）にしっかり螺合させる。こののち、図２に矢印線ＩＮで示すように、湯を注入する。注入された湯は、茶漉し部２７の上方空間２８に収容された茶葉を通り、煎じられた茶が内容器１４に溜まる。
【００３６】
このように、本実施形態の保温飲料容器は、蓋部材１３を取り外すと口栓部材１２に設けられた開閉弁機構２１が開いて飲料の通路が形成されるので、口栓部材１２を本体部１１から取り外さなくても、内容液（飲料）を注ぎ出したり、外部から飲料を注入したりすることができる。もちろん、口栓部材１２を本体部１１から取り外してマグボトルとして内容液（飲料）を飲むことも可能である。
【００３７】
また、蓋部材１３を装着した状態では開閉弁機構２１が閉じているので、内容液（飲料）が蓋部材１３の内側まで出てくることがなく、清潔である（衛生上も好ましい）。茶漉し部２７に茶葉が収容された状態で保温飲料容器を傾けたり逆さにしたりしても、茶葉が蓋部材１３の内側まで出てくることがない。蓋部材１３を取り外して開閉弁機構２１が開いた状態で保温飲料容器を傾けて内容液を注ぎだす場合についても、口栓部材１２の底部１２ｃが茶葉の移動を止めるので、内容液と一緒に茶葉が出て行くことが少ない。
【００３８】
この実施形態において、開閉弁機構２１の可動部２３を上方に（開閉弁機構２１を開ける方向に）付勢している圧縮ばね２５を形状記憶合金で作製してもよい。つまり、形状記憶合金製のばねを用いることにより、内容液が一定の温度より高い場合は圧縮ばね２５が縮んだままであり、一定の温度より下がったときに初めて可動部２３を上方に（開閉弁機構２１を開ける方向に）付勢する力が発生するように構成できる。こうすることにより、内容液が高温のときは蓋部材１３を取り外しても開閉弁機構２１が開かないので、安全面で優れたものとなる。
【００３９】
次に、本発明の第２の実施形態に係る保温飲料容器の構造を図３から図５に基づいて説明する。本実施形態の保温飲料容器は、蓋部材１３が径方向に２分割され、外側蓋部材１３Ａと内側蓋部材１３Ｂとからなる。図３は外側蓋部材１３Ａ及び内側蓋部材１３Ｂが共に装着された状態を示す断面図であり、図４は外側蓋部材１３Ａのみが装着された状態を示す断面図であり、図５は内側蓋部材１３Ｂのみが装着された状態を示す断面図である。なお、図３から図５において、第１の実施形態で参照した図１及び図２と同一の機能を有する部材には同一の参照番号を付し、説明を省略することがある。
【００４０】
この実施形態の保温飲料容器は、本体部１１、口栓部材１２及び蓋部材１３（外側蓋部材１３Ａ及び内側蓋部材１３Ｂ）からなる。本体部１１の構造は第１の実施形態の保温飲料容器と同じであり、内容器１４の開口部の内壁には、口栓部材１２に形成された雄螺子１２ａが螺合する雌螺子１４ａと、口栓部材１２に取り付けられた第１止水パッキン１２ｂと密着する突出部１４ｂが形成されている。
【００４１】
口栓部材１２は、内容器１４の開口部内側に嵌る内筒部１２Ａと外容器１５の開口部外側に被さる外筒部１２Ｂがつながった部材と、底部１２Ｃとそれから上方に延びる内側筒部１２Ｄがつながった部材とが一体に接合されてなる。内筒部１２Ａの外側には、上記の雄螺子１２ａが形成されていると共に、オーリング状の止水パッキン１２ｂが嵌め込まれている。
【００４２】
口栓部材１２は、外筒部１２Ｂを把持して回転させることにより、内容器１４（本体部１１）に対して着脱自在である。口栓部材１２の雄螺子１２ａと内容器１４の雌螺子１４ａとの螺合によって、口栓部材１２が内容器１４にしっかり装着された状態では、止水パッキン１２ｂが内容器１４の突出部１４ｂに密着し、内容器１４の内容液（飲料）が内容器１４と口栓部材１２との間から外に漏れないようになっている。
【００４３】
口栓部材１２の底部１２Ｃの中央には開口が形成され、この開口を開閉する開閉弁機構２１が設けられている。開閉弁機構２１は、口栓部材１２の底部１２Ｃに接合された固定部２２と、固定部２２に対して所定範囲内で上下動可能な可動部２３からなる。固定部２２は、口栓部材１２の底部１２Ｃに接合された外筒部２２ａと、その外筒部２２ａの内側に同軸配置された内筒部２２ｂとが複数の放射状に延びる連結部２２ｃとで連結された構造を有する。したがって、外筒部２２ａと内筒部２２ｂとの間には断面円環状の空間を複数の連結部２２ｃで仕切った複数の空間（飲料の通路）が形成されている。
【００４４】
内筒部２２ｂの下端には、キャップ２２ｄが接合され、内筒部２２ｂの上端部は絞られて小径部２２ｅとなっている。小径部２２ｅには可動部２３の摺動部２３ａが摺動自在に内嵌している。摺動部２３ａの上には拡径部２３ｂがつながり、拡径部２３ｂの外周には第２止水パッキン２４が被せられている。
【００４５】
蓋部材１３は、外側蓋部材１３Ａ及び内側蓋部材１３Ｂからなり、内側蓋部材１３Ｂの外周部には、口栓部材１２の内筒部１２Ｄの内側に形成されたラチェット（簡易螺子溝）１２ｇに係合するラチェット１３ｇが形成されている。これらのラチェット１２ｇ及び１３ｇの係合と解除によって、内側蓋部材１３Ｂは口栓部材１２に対して少し回転させることにより着脱自在である。外側蓋部材１３Ａが装着された状態で内側蓋部材１３Ｂを回転できるように、内側蓋部材１３Ｂの頂部にはつまみ部１３ｈが設けられている。
【００４６】
また、内側蓋部材１３Ｂの下側には筒部材１３ｉが接合され、その下端部が開閉弁機構２１を構成する可動部２３の拡径部２３ｂの上端に当接するように構成されている。これにより、図３に示すようにラチェット１２ｇ及び１３ｇの係合によって内側蓋部材１３Ｂを口栓部材１２にしっかり装着した状態では、内側蓋部材１３Ｂの下端が開閉弁機構２１の可動部２３を押し下げる。その結果、可動部２３の拡径部２３ｂの外周に被せられた第２止水パッキン２４の下部が口栓部材１２の底部１２Ｃの上面に密着し、底部１２Ｃの中央部開口が開閉弁機構２１（可動部２３）によって封止される。
【００４７】
開閉弁機構２１の固定部２２の内筒部２２ｂとキャップ２２ｄで囲まれた空間には圧縮ばね２５が収容されている。圧縮ばね２５は、可動部２３の下端に取り付けられた鍔部材２６とキャップ２２ｄとの間に圧縮状態で収容されており、可動部２３を上方に（開閉弁機構２１を開ける方向に）付勢している。
【００４８】
したがって、図４に示すように内側蓋部材１３Ｂを口栓部材１２から取り外すと、圧縮ばね２５の復元力（付勢力）によって可動部２３が上方に移動し、第２止水パッキン２４と口栓部材１２の底部１２Ｃの上面との間に隙間（飲料の通路）ができる。これにより、図４に矢印線ＩＮで示すように、外部から内容器１４への飲料の経路が形成されるので、口栓部材１２を本体部１１（内容器１４）から取り外さなくても、内側蓋部材１３Ｂを口栓部材１２から取り外すだけで、飲料を内容器１４へ注入することができる。
【００４９】
図３及び図４に示すように、口栓部材１２の底部１２Ｃに接合された開閉弁機構２１の固定部２２の外筒部２２ａに茶漉し部２７が（嵌合又は螺合によって）取り付けられている。茶漉し部２７は、下部に複数の小孔２７ａが形成されており、必要に応じて小孔２７ａを覆うように茶漉し網が底部内側に張られている。
【００５０】
茶漉し部２７に適量のハーブ茶のような茶葉を収容し、茶漉し部２７を口栓部材１２に（開閉弁機構２１の固定部２２を介して）取り付けた後、口栓部材１２を本体部１１（内容器１４）にしっかり螺合させる。こののち、図４に矢印線ＩＮで示すように、湯を注入する。注入された湯は、茶漉し部２７の上方空間２８に収容された茶葉を通り、煎じられた茶が内容器１４に溜まる。
【００５１】
この実施形態では、第１の実施形態と異なり、内容器１４の内容液（飲料）を飲む場合は、図４に矢印線ＩＮで示した注入経路とは別の注出経路で内容液が注ぎ出される。この注出経路は、外側蓋部材１３Ａを口栓部材１２から取り外すことによって形成される。
【００５２】
外側蓋部材１３Ａは、口栓部材１２の内筒部１２Ａの内側に嵌り込む外筒部１３ａを有する。この外筒部１３ａの外側には、口栓部材１２の内筒部１２Ａの内側に形成されたラチェット（簡易螺子溝）１２ｄに係合するラチェット１３ｄが形成されている。これらのラチェット１２ｄ及び１３ｄの係合と解除によって、外側蓋部材１３Ａは口栓部材１２に対して少し回転させることにより着脱自在である。
【００５３】
また、外筒部１３ａのすぐ内側には、外筒部１３ａと同軸状に下方に延びる内筒部１３ｊが形成され、外筒部１３ａ及び内筒部１３ｊの下端部に、円環状の第３止水パッキン２９が被せられている。また、口栓部材１２の底部１２Ｃの開閉弁機構２１が設けられた箇所の外側には、周方向に所定間隔で複数の開口１２ｈが形成されており、この開口１２ｈが上記の第３止水パッキン２９によって封止される構造となっている。つまり、ラチェット１２ｄ及び１３ｄの係合によって外側蓋部材１３Ａを口栓部材１２にしっかり装着した状態では、外側蓋部材１３Ａの内筒部１３ｂの外筒部１３ａ及び内筒部１３ｊの下端部に被せられた円環状の第３止水パッキン２９が、円環状に配置された複数の開口１２ｈを封止している。
【００５４】
したがって、図５に示すように外側蓋部材１３Ａを口栓部材１２から取り外すと、口栓部材１２の底部１２Ｃに円環状に配置された複数の開口１２ｈを通る内容器１４の内部から外部への飲料の経路が矢印線ＯＵＴで示すように形成される。つまり、図４に示した注入経路ＩＮとは別の抽出経路ＯＵＴが形成される。
【００５５】
このように、本実施形態では、外側蓋部材１３Ａと内側蓋部材１３Ｂが口栓部材１２に対して独立に着脱自在であり、本体部１１（内容器１４）に飲料を注入するときは内側蓋部材１３Ｂのみを取り外し、本体部１１から飲料を注ぎ出すときは外側蓋部材１３Ａのみを取り外せばよい。茶漉し部２７の上方空間２８に茶葉が収容されたままであっても、本体部１１から飲料を注ぎ出すときは茶漉し部２７の上方空間２８を通らない注出経路ＯＵＴで飲料が注ぎ出されるので、飲料と一緒に茶葉が出たり、茶葉が詰まって飲料が出にくくなったりすることがない。
【００５６】
この実施形態においても、第１の実施形態と同様に、口栓部材１２を本体部１１から取り外してマグボトルとして内容液（飲料）を飲むことも可能である。また、圧縮ばね２５として形状記憶合金製のばねを用いることにより、内容液が一定の温度より高い場合は圧縮ばね２５が縮んだままであり、一定の温度より下がったときに初めて可動部２３を上方に（開閉弁機構２１を開ける方向に）付勢する力が発生するように構成してもよい。こうすることにより、内容液が高温のときは内側蓋部材１３Ｂを取り外しても開閉弁機構２１が開かないので、安全面で優れたものとなる。
【００５７】
次に、本発明の第３の実施形態に係る保温飲料容器の構造を図６及び図７に基づいて説明する。図６は蓋部材を口栓部材に装着した状態を示し、図７は蓋部材を口栓部材から取り外した状態を示している。図６及び図７において、第１の実施形態で参照した図１及び図２と同一の機能を有する部材には同一の参照番号を付し、説明を省略することがある。
【００５８】
この実施形態の保温飲料容器は、本体部１１、口栓部材１２及び蓋部材１３からなる。本体部１１の構造は第１の実施形態の保温飲料容器と同じであり、内容器１４の開口部の内壁には、口栓部材１２に形成された雄螺子１２ａが螺合する雌螺子１４ａと、口栓部材１２に取り付けられた第１止水パッキン１２ｂと密着する突出部１４ｂが形成されている。
【００５９】
口栓部材１２は、内容器１４の開口部内側に嵌る内筒部１２Ａと外容器１５の開口部外側に被さる外筒部１２Ｂがつながった部材と、底部１２Ｃとそれから上方に延びる内側筒部１２Ｄがつながった部材とが一体に接合されてなる。内筒部１２Ａの外側には、上記の雄螺子１２ａが形成されていると共に、オーリング状の止水パッキン１２ｂが嵌め込まれている。
【００６０】
口栓部材１２は、外筒部１２Ｂを把持して回転させることにより、内容器１４（本体部１１）に対して着脱自在である。口栓部材１２の雄螺子１２ａと内容器１４の雌螺子１４ａとの螺合によって、口栓部材１２が内容器１４にしっかり装着された状態では、止水パッキン１２ｂが内容器１４の突出部１４ｂに密着し、内容器１４の内容液（飲料）が内容器１４と口栓部材１２との間から外に漏れないようになっている。
【００６１】
本実施形態における保温飲料容器の口栓部材１２は、既述の実施形態における保温飲料容器の口栓部材１２と異なり、ばね（付勢手段）を用いた開閉弁機構２１を備えていない。内筒部１２Ａと内側筒部１２Ｄとで囲まれたドーナッツの空間が２つの空間（図７において右側空間ＳＰ１と左側空間ＳＰ２）に仕切られ、それぞれの底部１２Ｃに第１の開口１２ｊ及び第２の開口１２ｋが設けられている。
【００６２】
蓋部材１３は、口栓部材１２の内筒部１２Ａの内側に嵌り込む外筒部１３ａを有する。この外筒部１３ａの外側には、口栓部材１２の内筒部１２Ａの内側に形成されたラチェット（簡易螺子溝）１２ｄに係合するラチェット１３ｄが形成されている。これらのラチェット１２ｄ及び１３ｄの係合と解除によって、蓋部材１３は口栓部材１２に対して少し回転させることにより着脱自在である。
【００６３】
また、蓋部材１３の外筒部１３ａの内側には、外筒部１３ａと同軸状に下方に延びる内筒部１３ｊが形成され、外筒部１３ａ及び内筒部１３ｊの下端部に、円環状の第２止水パッキン２９が被せられている。この第２止水パッキン２９は、蓋部材１３が口栓部材１２に装着された状態において第１の開口１２ｊ及び第２の開口１２ｋを封止する封止部材に相当する。
【００６４】
図７に示すように、蓋部材１３が口栓部材１２から取り外されると、矢印線ＯＵＴで示すように、内容器１４の内容液（飲料）が口栓部材１２の第２の開口１２ｋを通って外部へ流れ出る経路が形成される。したがって、口栓部材１２を本体部１１（内容器１４）から取り外さなくても、内容器１４の内容液（飲料）を飲むことができる。あるいは、逆方向の矢印線ＩＮで示すように、口栓部材１２の第１の開口１２ｊを通して飲料を外から内容器１４へ注入することができる。
【００６５】
また、図７において、口栓部材１２の底部１２Ｃから本体部側に所定の空間（上方空間）２８を形成する茶漉し部２７が取り付けられている。つまり、口栓部材１２の底部１２Ｃから本体部側に第１の開口１２ｊを囲むように環状の突出壁１２ｉが形成され、その外側に嵌合（又は螺合）するように茶漉し部２７が取り付けられている。茶漉し部２７は、下部に複数の小孔２７ａが形成されており、必要に応じて小孔２７ａを覆うように茶漉し網が底部内側に張られている。
【００６６】
茶漉し部２７の上方空間２８に適量のハーブ茶のような茶葉を収容し、茶漉し部２７を口栓部材１２の環状の突出壁１２ｉに嵌合させた後、口栓部材１２を本体部１１（内容器１４）にしっかり螺合させる。こののち、図７に矢印線ＩＮで示すように、湯を注入する。注入された湯は、茶漉し部２７の上方空間２８に収容された茶葉を通り、煎じられた茶が内容器１４に溜まる。
【００６７】
前述のように、口栓部材１２の内筒部１２Ａと内側筒部１２Ｄとで囲まれたドーナッツの空間は右側空間ＳＰ１と左側空間ＳＰ２とに仕切られているので、右側空間ＳＰ１から注入された湯は、必ず第１の開口１２ｊを通り茶漉し部２７の上方空間２８を通って内容器１４へ至る。逆に、内容器１４内の飲料（煎じられた茶）を本体部１１から注ぎ出すときは、茶漉し部２７の上方空間２８を通らない別の注出経路ＯＵＴで飲料が注ぎ出されるので、飲料と一緒に茶葉が出たり、茶葉が詰まって飲料が出にくくなったりすることがない。
【００６８】
以上、本発明の実施形態及び変形例を説明したが、本発明は上記の実施形態及び変形例に限らず、種々の形態で実施することができる。例えば、第１及び第２の実施形態において、茶漉し部２７は本発明の構成に必須ではなく、無くてもよい。また、第３の実施形態では口栓部材１２に２個の開口（第１の開口１２ｊ及び第２の開口１２ｋ）を設けたが、３個以上の開口を設けてもよい。
【００６９】
また、断熱構造を有する本体部の構造は、実施形態のようなステンレススチール製の断熱構造を有する真空二重容器に限らず、例えば発泡スチロール断熱材を挟んだプラスチック製の二重容器でもよい。
【００７０】
【発明の効果】
以上に説明したように、本発明によれば、口栓部材を本体部から外さなくても、蓋部材を口栓部材から外せば口栓部材の開口が開き、飲料を本体部に注入したり、本体部から飲料を注ぎ出したりすることが可能となる。また、茶漉し部の空間に茶葉を入れておくだけで、茶漉し網や急須のような他の器具が無くても、簡単に茶を煎じて本体部に溜めることができる。さらに、第２の構成によれば、本体部の茶を外部に注ぎだすときは、茶漉し部の茶葉が入れられた空間を通らずに、第２の開口から直接外部へ注ぎだすことが可能である。
【図面の簡単な説明】
【図１】本発明の第１の実施形態に係る保温飲料容器の蓋部材が口栓部材に装着された状態を示す断面図である。
【図２】本発明の第１の実施形態に係る保温飲料容器の蓋部材を口栓部材から取り外した状態を示す断面図である。
【図３】本発明の第２の実施形態に係る保温飲料容器の外側蓋部材及び内側蓋部材が口栓部材に装着された状態を示す断面図である。
【図４】本発明の第２の実施形態に係る保温飲料容器の内側蓋部材が口栓部材から取り外された状態を示す断面図である。
【図５】本発明の第２の実施形態に係る保温飲料容器の外側蓋部材が口栓部材から取り外された状態を示す断面図である。
【図６】本発明の第３の実施形態に係る保温飲料容器の蓋部材が口栓部材に装着された状態を示す断面図である。
【図７】本発明の第３の実施形態に係る保温飲料容器の蓋部材を口栓部材から取り外した状態を示す断面図である。
【図８】従来例に係る保温飲料容器を示す断面図である。
【符号の説明】
１１  本体部
１２  口栓部材
１２ｃ，１２Ｃ  底部
１２ｈ  第２の開口
１３  蓋部材
１３Ａ  外側蓋部材
１３Ｂ  内側蓋部材
１４  内容器
１５  外容器
２１  開閉弁機構
２２  固定部
２３  可動部
２５  付勢手段（圧縮ばね）
２７  茶漉し部
２９  封止部材（止水パッキン）
【図１】
0003693024.tif 000002
【図２】
0003693024.tif 000003
【図３】
0003693024.tif 000004
【図４】
0003693024.tif 000005
【図５】
0003693024.tif 000006
【図６】
0003693024.tif 000007
【図７】
0003693024.tif 000008
【図８】
0003693024.tif 000009